(57)【要約】【課題】会議室や会議室内の設備の利用に伴う消費電力を削減し、会議室や会議室内の設備を効率的に利用することを課題とする。【解決手段】会議設備電力制御装置１００は、会議室の予約に関する情報を記憶する予約情報記憶部１１を有する。会議設備電力制御装置１００は、会議室に設置された各設備の電力使用量を収集し、収集された各設備の電力使用量を用いて、各設備が稼働しているか否かを判別し、会議室の利用状況を算出する。そして、算出された会議室の利用状況と、予約情報記憶部１１によって記憶された会議室の予約に関する情報とを用いて、予約した時間を超過して会議室が利用されているか否かを判定する。そして、会議設備電力制御装置１００は、予約した時間を超過して会議室が利用されていると判定された場合には、各設備に対する電力供給を制御する。【選択図】        図１
2013182307.tif 000002
【特許請求の範囲】
【請求項１】
会議室の予約に関する情報を記憶する予約情報記憶部と、
前記会議室に設置された各設備の電力使用量を収集する設備使用電力収集部と、
前記設備使用電力収集部によって収集された各設備の電力使用量を用いて、当該各設備が稼働しているか否かを判別し、前記会議室の利用状況を算出する会議室利用状況算出部と、
前記会議室利用状況算出部によって算出された会議室の利用状況と、前記予約情報記憶部によって記憶された会議室の予約に関する情報とを用いて、予約した時間を超過して会議室が利用されているか否かを判定する会議室利用時間判定部と、
前記会議室利用時間判定部によって予約した時間を超過して会議室が利用されていると判定された場合には、各設備に対する電力供給を制御する設備電源制御部と、
を有することを特徴とする会議設備電力制御装置。
【請求項２】
前記設備に対する電力供給を要求された際に、該要求を行った者が会議室を予約した者であるか否かを認証する設備認証部をさらに有し、
前記設備電源制御部は、前記設備認証部によって設備に対する電力供給の要求を行った者が会議室を予約した者であると認証された場合には、各設備に対する電力供給を制御することを特徴とする請求項１に記載の会議設備電力制御装置。
【請求項３】
前記会議室に設置された各設備の電力制御に関する情報を記憶する設備情報記憶部をさらに有し、
前記設備電源制御部は、前記会議室利用時間判定部によって予約した時間を超過して会議室が利用されていると判定された場合には、前記設備情報記憶部に記憶された各設備の電力制御に関する情報を用いて、各設備に対する電力供給を制御することを特徴とする請求項１または２に記載の会議設備電力制御装置。
【請求項４】
前記設備情報記憶部は、各設備の電力制御に関する情報として、同時に使用する設備の種別の組み合わせの情報、および、同時に使用されない設備の種別の組み合わせの情報を記憶し、
前記設備電源制御部は、前記設備情報記憶部に記憶された同時に使用する設備の種別の組み合わせの情報および同時に使用されない設備の種別の組み合わせの情報を用いて、設備に対する電力の供給を開始または設備に対する電力の供給を遮断するように制御することを特徴とする請求項１〜３のいずれか一つに記載の会議設備電力制御装置。
【請求項５】
前記設備情報記憶部は、各設備の電力制御に関する情報として、設備の種別ごとに電力の供給を低減する態様に関する情報をそれぞれ記憶し、
前記設備電源制御部は、前記会議室利用時間判定部によって予約した時間を超過して会議室が利用されていると判定した場合には、現に電力が供給されている設備の種別に対応する電力の供給を低減する態様に関する情報を前記設備情報記憶部から取得し、取得した電源の供給を低減する態様に関する情報を用いて、設備に対する電力の供給を低減するように制御することを特徴とする請求項１〜４のいずれか一つに記載の会議設備電力制御装置。
【請求項６】
前記会議室に設置された各設備の電力使用量を収集する設備使用電力収集ステップと、
前記設備使用電力収集ステップによって収集された各設備の電力使用量を用いて、当該各設備が稼働しているか否かを判別し、前記会議室の利用状況を算出する会議室利用状況算出ステップと、
前記会議室利用状況算出ステップによって算出された会議室の利用状況と、会議室の予約に関する情報を記憶する予約情報記憶部によって記憶された会議室の予約に関する情報とを用いて、予約した時間を超過して会議室が利用されているか否かを判定する会議室利用時間判定ステップと、
前記会議室利用時間判定ステップによって予約した時間を超過して会議室が利用されていると判定された場合には、各設備に対する電力供給を制御する設備電源制御ステップと、
を含んだことを特徴とする会議設備電力制御方法。
【請求項７】
前記会議室に設置された各設備の電力使用量を収集する設備使用電力収集手順と、
前記設備使用電力収集手順によって収集された各設備の電力使用量を用いて、当該各設備が稼働しているか否かを判別し、前記会議室の利用状況を算出する会議室利用状況算出手順と、
前記会議室利用状況算出手順によって算出された会議室の利用状況と、会議室の予約に関する情報を記憶する予約情報記憶部によって記憶された会議室の予約に関する情報とを用いて、予約した時間を超過して会議室が利用されているか否かを判定する会議室利用時間判定手順と、
前記会議室利用時間判定手順によって予約した時間を超過して会議室が利用されていると判定された場合には、各設備に対する電力供給を制御する設備電源制御手順と、
をコンピュータに実行させることを特徴とする会議設備電力制御プログラム。
【発明の詳細な説明】
【技術分野】
【０００１】
本発明は、会議設備電力制御装置、会議設備電力制御方法および会議設備電力制御プログラムに関する。
【背景技術】
【０００２】
近年、企業のオフィスや役所等においては、多人数での打ち合わせや会議、発表会等を行うために会議室が設けられている。一般的に、会議室は利用希望者が多く、多人数で長期間利用されるため、利用に際しては事前に会議室の利用予約が必要である。通常、会議室の予約は、重複予約を防止し、会議室を効率的に利用するために予約管理台帳や会議室予約システムを用いている。
【０００３】
このような予約管理台帳や会議室予約システムでは、会議室の予約の際に、予約者が会議室や会議室内の設備を利用する予約時間を指定し、指定した予約時間内に他の者が会議室や設備を利用できないようにする。
【先行技術文献】
【特許文献】
【０００４】
【特許文献１】特開２００５−３２１００号公報
【特許文献２】特開２０１０−１８６３８４号公報
【発明の概要】
【発明が解決しようとする課題】
【０００５】
しかしながら、上記の予約管理台帳や会議室システムを利用した場合であっても、会議室や会議室内の設備が効率的に利用されない場合があるという課題があった。例えば、予約した時間を超過して会議室が利用されているにも拘らず、会議室内の照明が点いている場合には、照明の電力が無駄に消費されていることとなり、会議室や会議室内の設備が効率的に利用されない。
【０００６】
そこで、本開示の技術は、上述した従来技術の問題に鑑みて、会議室や会議室内の設備の利用に伴う消費電力を削減し、会議室や会議室内の設備を効率的に利用できるようにすることを目的とする。
【課題を解決するための手段】
【０００７】
上述した課題を解決し、目的を達成するため、開示の装置は、  会議室の予約に関する情報を記憶する予約情報記憶部と、前記会議室に設置された各設備の電力使用量を収集する設備使用電力収集部と、前記設備使用電力収集部によって収集された各設備の電力使用量を用いて、当該各設備が稼働しているか否かを判別し、前記会議室の利用状況を算出する会議室利用状況算出部と、前記会議室利用状況算出部によって算出された会議室の利用状況と、前記予約情報記憶部によって記憶された会議室の予約に関する情報とを用いて、予約した時間を超過して会議室が利用されているか否かを判定する会議室利用時間判定部と、前記会議室利用時間判定部によって予約した時間を超過して会議室が利用されていると判定された場合には、各設備に対する電力供給を制御する設備電源制御部と、を有する。
【発明の効果】
【０００８】
開示の装置は、会議室や会議室内の設備の利用に伴う消費電力を削減し、会議室や会議室内の設備を効率的に利用できるという効果を奏する。
【図面の簡単な説明】
【０００９】
【図１】図１は、実施例１に係る会議室適正利用システムの構成を示すブロック図である。
【図２】図２は、実施例１に係る会議設備電力制御装置の構成を示すブロック図である。
【図３】図３は、実施例１に係る電源供給監視装置の構成を示すブロック図である。
【図４】図４は、予約情報記憶部により記憶される会議室予約データの例を示す図である。
【図５】図５は、予約情報記憶部により記憶される設備予約データの例を示す図である。
【図６】図６は、利用実績記憶部により記憶される使用電力実績データの例を示す図である。
【図７】図７は、利用実績記憶部により記憶される設備予約実績データの例を示す図である。
【図８】図８は、設備情報記憶部により記憶される設備関連データの例を示す図である。
【図９】図９は、設備情報記憶部により記憶される判定表データの例を示す図である。
【図１０】図１０は、設備情報記憶部により記憶される設備電力供給制御定義データの例を示す図である。
【図１１】図１１は、実施例１に係る会議設備電力制御装置が行う設備利用状況の取得処理の処理手順を説明するためのフローチャートである。
【図１２】図１２は、実施例１に係る会議設備電力制御装置の認証処理の処理手順を説明するためのフローチャートである。
【図１３】図１３は、実施例１に係る会議設備電力制御装置の電力供給処理の処理手順を説明するためのフローチャートである。
【図１４】図１４は、会議設備電力制御プログラムを実行するコンピュータを示す図である。
【発明を実施するための形態】
【００１０】
以下に添付図面を参照して、この発明に係る会議設備電力制御装置、会議設備電力制御方法および会議設備電力制御プログラムの実施例を詳細に説明する。なお、この実施例によりこの発明が限定されるものではない。
【実施例１】
【００１１】
以下の実施例では、実施例１に係る、会議室適正利用システムの構成、会議設備電力制御装置の構成および会議設備電力制御装置の処理の流れを順に説明し、最後に実施例１による効果を説明する。
【００１２】
［会議室適正利用システムの構成］
最初に、図１を用いて、会議設備電力制御装置１００を含む会議室適正利用システム１０の構成を説明する。図１は、実施例１に係る会議室適正利用システムの構成を示すブロック図である。図１に示すように、会議室適正利用システム１０は、会議設備電力制御装置１００、電源供給監視装置２００、各種電気機器３００を有する。また、会議設備電力制御装置１００と電源供給監視装置２００とは、ネットワーク４００を介して相互に接続されている。また、電源供給監視装置２００は、各種電気機器３００に接続されている。
【００１３】
会議設備電力制御装置１００は、電力供給監視装置２００から各機器への電力供給量（電力使用量）を取得し、取得した電力供給量を利用して会議室の利用状況を算出し、予約した時間を超過して会議室が利用されていると判定した場合には、各種電気機器３００に対する電力供給を制御する処理を行う。なお、会議設備電力制御装置１００の構成および処理については、後に図２等を用いて詳述する。
【００１４】
電源供給監視装置２００は、接続された各種電気機器３００への電力供給量を計測し、計測した電力供給量を会議設備電力制御装置１００に送信する。なお、電源供給監視装置２００とは、スマートコンセントなどの電力使用量を計測できる装置である。例えば、会議室のコンセントにスマートコンセントを利用することで、コンセントに接続された各種電気機器３００の消費電力をリアルタイムに１Ｗ（ワット）単位で観測できる。なお、図１では、電源供給監視装置２００が一台の例を記載しているが、電源供給監視装置２００が複数であってもよく、例えば、各種電気機器３００それぞれに対して一台ずつ設けるようにしてもよい。
【００１５】
各種電気機器３００とは、電灯３１０、プロジェクタ３２０、ＴＶ会議装置３３０、ＰＣ（Personal  Computer）３４０などの電気機器であり、会議室に設けられており、電源供給監視装置２００により電力供給量が監視されている。ここで、各種電気機器３００とは、主に、会議室が利用されている場合に電源が投入され、会議室が利用されていない場合には、電源が切断される電気機器である。
【００１６】
［会議設備電力制御装置の構成］
次に、図２を用いて、図１に示した会議設備電力制御装置１００の構成を説明する。図２は、実施例１に係る会議設備電力制御装置の構成を示すブロック図である。図２に示すように、会議設備電力制御装置１００は、予約情報記憶部１１、利用実績記憶部１２、設備情報記憶部１３、設備使用電力収集部１４、設備利用状況判定部１５、設備認証部１６、会議室利用状況算出部１７、会議室利用時間判定部１８、および、設備電源制御部１９を有する。以下にこれらの各部の処理を説明する。
【００１７】
予約情報記憶部１１は、会議室を利用する利用者によって指定された会議室の予約に関する情報を記憶する。具体的には、予約情報記憶部１１は、図４および図５に示すように、会議室の予約に関する情報と会議室に設けられた設備の予約に関する情報とを記憶する。
【００１８】
図４の例を用いて説明すると、予約情報記憶部１１は、予約を一意に識別する「予約ＩＤ」と、会議室の名称を示す「会議室名」と、予約者の名前を示す「予約者」と、予約の日にちを示す「予約日付」と、予約の開始の時刻を示す「開始時刻」と、予約の終了の時刻を示す「終了時刻」とを対応付けてそれぞれ記憶する。また、図５の例を用いて説明すると、予約情報記憶部１１は、「予約ＩＤ」と、予約された設備の名称を示す「設備名」と、「予約者」と、「予約日付」と、「開始時刻」と、「終了時刻」とを対応付けて記憶する。なお、これらの情報は、予約者が既存の会議予約システムを利用して入力した情報のうち、会議室の予約に関する情報として予約情報記憶部１１に記憶された情報である。
【００１９】
利用実績記憶部１２は、設備の使用電力と、設備の予約状況とを記憶する。具体的には、図６及び図７に示すように、会議室に設けられた各設備の使用電力に基づく会議室の利用状況と、会議室に設けられた各設備の予約状況とを所定の時間ごとに記憶する。
【００２０】
図６の例を用いて説明すると、利用実績記憶部１２は、２０１０年５月１５日の会議室Ａについて、０：００〜２３：３０の間の３０分ごとの照明、プロジェクタ、ＰＣコンセントおよびＴＶ会議システムそれぞれの使用電力を記憶する。例えば、会議室Ａの照明は、１１：００、１１：３０、１２：００、１２：３０、１５：００、１５：３０において、電源が投入された状態で電力を使用しているものとする。なお、上記の例では、各設備について、電源が投入された状態で電力を使用し、電源が切断された状態では電力の使用を「０」として説明しているが、電源が切断された状態で電力（待機電力）を使用する場合がある。この場合には、待機電力以上の使用電力である場合に、設備の電源が投入されているものとする。
【００２１】
また、図７に示すように、利用実績記憶部１２は、２０１０年５月１５日の会議室Ａについて、０：００〜２３：３０の間の３０分ごとの会議室Ａ、照明、プロジェクタ、ＰＣコンセントおよびＴＶ会議システムそれぞれの予約状況を記憶する。なお、図７について、便宜上「０：００」、「０：３０」・・等と３０分単位で記載されており、これは、「０：００〜０：２９」等の時間帯であることを意味しているが、以下では、説明を簡単にするために、「０：００」、「０：３０」・・は、それぞれ「０：００」、「０：３０」・・の時刻として説明する。例えば、会議室Ａは、１０：００〜１２：００の間に予約１が設定されて、１３：００〜１５：３０の間に予約２が設定されているものとする。また、プロジェクタは、図７に示すように、１０：００〜１２：００の間に、予約Ａが設定されて、予約されているものとする。
【００２２】
設備情報記憶部１３は、会議室に設置された各設備の電力制御に関する情報を記憶する。具体的には、設備情報記憶部１３は、各機器の電力制御に関する情報として、同時に使用する機器の種別の組み合わせの情報、および、同時に使用されない機器の種別の組み合わせの情報である設備関連データを記憶する。図８の例に示すように、設備情報記憶部１３は、利用されている設備である「利用設備」と、その利用設備に関連する設備である「関連設備」と、両設備が同時に使用されるか否かを示す「関連設定」とを対応付けて記憶する。図８の例では、利用設備「会議室Ａのプロジェクタ」と関連設備「会議室Ａの照明１」とは、「同時に使用されない」ことが記憶されている。つまり、プロジェクタを使用する際には、照明を消すのが通常であるため、利用設備「会議室Ａのプロジェクタ」と関連設備「会議室Ａの照明１」とは「同時に使用されない」と規定されている。
【００２３】
また、設備情報記憶部１３は、図９に示すように、関連設備への電力供給をするしないを判定する際に使用される判定表を記憶する。図９の例では、判定表は、関連設定が「同時に使用する」であって、利用設備への電力供給が「あり」である場合には、関連設備へ電力を「供給する」と規定する。また、判定表は、関連設定が「同時に使用する」であって、利用設備への電力供給が「なし」である場合には、関連設備へ電力を「供給しない」と規定する。また、判定表は、関連設定が「同時に使用しない」であって、利用設備への電力供給が「あり」である場合には、関連設備へ電力を「供給しない」と規定する。また、判定表は、関連設定が「同時に使用しない」であって、利用設備への電力供給が「なし」である場合には、関連設備へ電力を「供給する」と規定する。
【００２４】
また、設備情報記憶部１３は、各機器の電力制御に関する情報として、機器の種別ごとに電力の供給を低減する態様に関する情報を記憶する。図１０の例に示すように、設備情報記憶部１３は、会議室に設置された「設備」と、電力の供給を低減する態様を示す「電力制御」とを対応付けて記憶する設備電力供給制御定義データを記憶する。例えば、図１０に例示する設備電力供給制御定義データでは、設備「会議室Ａのプロジェクタ」と、電力制御「電力供給を遮断する」とが対応付けて記憶されている。これは、会議室Ａの利用が予約時間を超過している際に、会議室Ａのプロジェクタに電力が供給されている場合には、会議室Ａのプロジェクタの電力供給を遮断するように制御することを意味する。
【００２５】
設備使用電力収集部１４は、会議室に設置された各設備の電力使用量を収集する。具体的には、設備使用電力収集部１４は、所定の時間間隔（例えば、５分間隔）で、会議室に設置された各設備の電力使用量を収集する。そして、設備使用電力収集部１４は、収集した各設備の電力使用量を使用電力実績データとして利用実績記憶部１２に格納する。
【００２６】
設備利用状況判定部１５は、会議室を利用する利用者によって予約された会議室および設備の実績情報を利用実績記憶部１２に定期的に格納する。具体的には、設備利用状況判定部１５は、所定の時間間隔（例えば、５分間隔）で、全ての会議室の各設備の予約情報を予約情報記憶部１１から取得し、各設備の予約情報を設備予約実績データとして利用実績記憶部１２に格納する。例えば、図５の例を用いて説明すると、Ａさんが２０１０年５月１５日の１０：００から１２：００までプロジェクタを予約しており（図４の「予約Ａ」参照）、図７に例示する利用実績記憶部１２の設備予約実績データに対して、プロジェクタの２０１０年５月１５日の１０：００から１２：００までの項目に「予約Ａ」が記憶される。
【００２７】
設備認証部１６は、設備に対する電力供給を要求された際に、該要求を行った者が会議室を予約した者であるか否かを認証する。具体的には、設備認証部１６は、スマートコンセント（電源供給監視装置２００）又は各設備の有する認証機能によって、利用認証を行う。ここで認証とは、例えば、社員カードによる認証やコード入力による認証などである。なお、認証を行った結果、設備に対する電力供給の要求を行った者が会議室を予約した者である場合には、後述する設備電源制御部１９によって電力の供給が行われる。
【００２８】
会議室利用状況算出部１７は、設備使用電力収集部１４によって収集された各設備の電力使用量を用いて、当該各設備が稼働しているか否かを判別し、会議室の利用状況を算出する。具体的には、会議室利用状況算出部１７は、設備使用電力収集部１４によって収集された各設備の電力使用量を用いて、各設備が稼働しているか否かを判別し、会議室の利用状況として、会議室が利用されている時間帯を算出する。
【００２９】
例えば、会議室利用状況算出部１７は、所定の時間間隔（例えば、５分間隔）で、設備予約情報を利用実績記憶部１２から使用電力実績データを読み出し、会議室に設置されたいずれかの設備の使用電力量が待機電力以上であれば、その会議室が使用されているものと判別し、会議室が利用されている時間帯を算出する。具体的な例を挙げて説明すると、会議室利用状況算出部１７は、図６の例を用いて説明すると、会議室Ａの照明について、１１：００〜１２：３０まで使用電力が２０Ｗであることから、会議室Ａが利用されていた時間帯が１１：００〜１２：３０であることを算出する。
【００３０】
会議室利用時間判定部１８は、会議室利用状況算出部１７によって算出された会議室の利用状況と、予約情報記憶部１１によって記憶された会議室の予約に関する情報とを用いて、予約した時間を超過して会議室が利用されているか否かを判定する。例えば、会議室利用時間判定部１８は、会議室の予約終了時刻が「１２：００」であるにも関わらず、１２：００を過ぎた時点で会議室Ａの照明の使用電力が２０Ｗである場合には、予約した時間を超過して会議室が利用されていると判定する。
【００３１】
設備電源制御部１９は、会議室利用時間判定部１８によって予約した時間を超過して会議室が利用されていると判定された場合には、設備情報記憶部１３に記憶された各設備の電力制御に関する情報を用いて、各設備に対する電力供給を制御する。
【００３２】
具体的には、設備電源制御部１９は、会議室利用時間判定部１８によって予約した時間を超過して会議室が利用されていると判定した場合には、現に電力が供給されている機器の種別に対応する電力の供給を低減する態様に関する情報である設備電力供給制御定義データを設備情報記憶部１３から取得し、取得した電源の供給を低減する態様に関する情報を用いて、設備に対する電力の供給を低減するように制御する。例えば、設備電源制御部１９は、会議室の予約終了時刻が「１２：００」であるにも関わらず、１２：００を過ぎた時点で会議室Ａの照明の使用電力が２０Ｗである場合には、設備電源制御部１９は、設備情報記憶部１３から設備電力供給制御定義データとして会議室Ａの照明の電力制御「１分毎に電力供給を瞬断する」を取得する。そして、設備電源制御部１９は、会議室Ａの照明を１分毎に電力供給を瞬断するように制御する。
【００３３】
また、設備電源制御部１９は、設備認証部１６によって設備に対する電力供給の要求を行った者が会議室を予約した者であると認証された場合には、各設備に対する電力供給を制御する。具体的には、設備電源制御部１９は、設備認証部１６が行う認証処理の結果、認証に成功した場合のみ、電力供給の要求が行われた設備に対して電力供給を行う。
【００３４】
また、設備電源制御部１９は、設備情報記憶部１３に記憶された同時に使用する設備の種別の組み合わせの情報および同時に使用されない機器の種別の組み合わせの情報である設備関連データを用いて、設備に対する電力の供給を開始または機器に対する電力の供給を遮断するように制御する。例えば、図８の例を用いて説明すると、設備電源制御部１９は、会議室Ａのプロジェクタが予約され、現在利用されている場合には、設備関連データを参照し、会議室Ａのプロジェクタの関連設備である「会議室Ａの照明１」の関連設定を取得する。ここで、図８の例では、「会議室Ａの照明１」の関連設定が「同時に使用されない」であるため、図９に例示する判定表を参照して、会議室Ａの照明１に電力が供給されている場合には、会議室Ａの照明１に対する電力の供給を遮断する。
【００３５】
また、設備電源制御部１９は、会議室ＡのＰＣコンセントが予約され、現在利用されている場合には、設備関連データを参照し、会議室ＡのＰＣコンセントの関連設備である「会議室Ａのネットワークルータ」の関連設定を取得する。ここで、図８の例では、「会議室Ａのネットワークルータ」の関連設定が「同時に使用する」であるため、図９に例示する判定表を参照して、会議室Ａのネットワークルータに電力が供給されていない場合には、会議室Ａのネットワークルータに対する電力の供給を開始する。
【００３６】
ここで、図３を用いて、電源供給監視装置２００の構成について簡単に説明する。図３は、実施例１に係る電源供給監視装置の構成を示すブロック図である。図３に示すように、電源供給監視装置２００は、電力供給部２１、電力供給制御部２２、消費電力計測部２３、および消費電力通知部２４を有する。
【００３７】
電力供給部２１は、接続される会議室内の各設備に電力を供給する。電力供給制御部２２は、接続される会議室内の各設備への電力供給または電力供給の停止を制御する。消費電力計測部２３は、接続される各設備へ供給されている電力量を計測する。消費電力通知部２４は、接続される各設備に供給された電力量を会議設備電力制御装置１００へ通知する。
【００３８】
［会議設備電力制御装置による処理］
次に、実施例１に係る会議設備電力制御装置１００による処理を説明する。以下では、図１１〜図１３を用いて、実施例１に係る会議設備電力制御装置１００が実行する処理の流れを説明する。
【００３９】
まず、図１１を用いて、実施例１に係る会議設備電力制御装置１００が行う設備利用状況の取得処理について説明する。図１１は、実施例１に係る会議設備電力制御装置が行う設備利用状況の取得処理の処理手順を説明するためのフローチャートである。以下に説明するように、設備利用状況の取得処理は、所定の時間間隔（例えば、５分間隔）で、定期的に利用実績記憶部１２内の使用電力実績データおよび設備予約実績データを更新する処理を行う。
【００４０】
図１１に示すように、会議設備電力制御装置１００の設備使用電力収集部１４は、所定の時間間隔（例えば、５分間隔）で、会議室に設置された各設備の電力使用量を収集し（ステップＳ１０１）、収集した各設備の電力使用量を使用電力実績データとして利用実績記憶部１２に格納する（ステップＳ１０２）。具体的には、使用電力収集部１４は、電源供給監視装置（スマートコンセント）２００が計測した各種電気機器３００への電力供給量を各設備の電力使用量として収集し、収集した各設備の電力使用量を計測した時間に対応付けて利用実績記憶部１２に格納する。
【００４１】
続いて、設備利用状況判定部１５は、全ての会議室の各設備の予約情報を予約情報記憶部１１から取得し（ステップＳ１０３）、各設備の予約情報を設備予約実績データとして利用実績記憶部１２に格納する（ステップＳ１０４）。例えば、図５の例を用いて説明すると、Ａさんが２０１０年５月１５日の１０：００から１２：００までプロジェクタを予約しており（図４の「予約Ａ」参照）、図７に例示する利用実績記憶部１２の設備予約実績データに対して、プロジェクタの２０１０年５月１５日の１０：００から１２：００までの項目に「予約Ａ」が記憶される。
【００４２】
その後、設備利用状況判定部１５は、全ての設備の電力使用量および予約情報を取得したか判定する（ステップＳ１０５）。具体的には、設備利用状況判定部１５は、上記したステップＳ１０１、１０３において、複数の会議室のうちの１つの会議室における各設備の電力使用量および予約情報を順に取得する処理を繰り返し、利用実績記憶部１２に規定された全ての設備について電力使用量および予約情報を取得し終えた場合には、全ての設備の電力使用量および予約情報を取得したと判定する。この結果、設備利用状況判定部１５は、全ての設備の電力使用量および予約情報を取得していないと判定した場合には（ステップＳ１０５否定）、ステップＳ１０１に戻る。また、設備利用状況判定部１５は、全ての設備の電力使用量および予約情報を取得したと判定した場合には（ステップＳ１０５肯定）、全ての会議室の電力使用量および予約情報を取得したか判定する（ステップＳ１０６）。この結果、全ての会議室の電力使用量および予約情報を取得していないと判定した場合には（ステップＳ１０６否定）、ステップＳ１０１に戻り、各設備の電力使用量および予約情報を取得していない会議室が無くなるまで、ステップＳ１０１〜１０５の処理を繰り返す。また、全ての会議室の電力使用量および予約情報を取得したと判定した場合には（ステップＳ１０６肯定）、処理を終了する。
【００４３】
次に図１２を用いて、会議設備電力制御装置１００が行う認証処理について説明する。図１２は、実施例１に係る会議設備電力制御装置が行う認証処理の処理手順を説明するためのフローチャートである。以下に説明するように、会議設備電力制御装置１００が行う認証処理は、会議内の設備に対する電力供給を要求された際に、該要求を行った者が会議室を予約した者であるか否かを認証し、会議室を予約した者であると認証された場合には、設備に対して電力を供給する処理を行う。
【００４４】
図１２に示すように、設備認証部１６は、認証要求を受け付けると（ステップＳ２０１）、認証要求を行った認証者名を取得し（ステップＳ２０２）、認証が要求された機器名を取得する（ステップＳ２０３）。例えば、設備認証部１６は、認証要求を行った者が入力操作により認証者名および機器名が入力され、入力された認証者名および機器名を取得する。
【００４５】
そして、設備認証部１６は、機器名に対応する機器の予約状況を予約情報記憶部１１から取得し（ステップＳ２０４）、認証要求を行った認証者名が予約を行った利用者であるか否かを判定する（ステップＳ２０５）。具体的には、設備認証部１６は、機器名に対応する機器の予約状況として、該機器を現時刻で予約している利用者名を予約情報記憶部１２から取得し、取得した利用者名と認証要求を行った認証者名とが同一であるか判定する。この結果、設備認証部１６が認証要求を行った認証者名が予約を行った利用者でないと判定した場合には（ステップＳ２０５否定）、認証に失敗したものとして、設備電源制御部１９は、機器名に対応する機器に電力供給を行わない（ステップＳ２０６）。
【００４６】
また、設備認証部１６は、認証要求を行った認証者名が予約を行った利用者であると判定した場合には（ステップＳ２０５肯定）、現時刻が予約時間内であるか否かを判定する（ステップＳ２０７）。具体的には、設備認証部１６は、予約情報記憶部１１によって記憶された認証者名に対応する設備予約の「開始時刻」と「終了時刻」との間に、現時刻が含まれるか否かを判定する。この結果、設備認証部１６によって現時刻が予約時間内でないと判定された場合には（ステップＳ２０７否定）、認証に失敗したものとして、設備電源制御部１９は、機器名に対応する機器に電力供給を行わない（ステップＳ２０６）。また、設備認証部１６によって現時刻が予約時間内であると判定された場合には（ステップＳ２０７肯定）、認証に成功したものとして、機器名に対応する機器に電力を供給する（ステップＳ２０８）。
【００４７】
次に図１３を用いて、会議設備電力制御装置１００が行う電力供給処理について説明する。図１３は、実施例１に係る会議設備電力制御装置が行う電力供給処理の処理手順を説明するためのフローチャートである。以下に説明するように、会議設備電力制御装置１００が行う電力供給処理は、所定の時間間隔（例えば、５分間隔）で定期的に行われる処理であって、予約した時間を超過して会議室が利用されていると判定された場合には、各機器に対する電力供給を制御する処理を行う。
【００４８】
図１３に示すように、会議設備電力制御装置１００の設備電源制御部１９は、処理時点における会議室に設置された設備の予約状況を取得する（ステップＳ３０１）。具体的には、設備電源制御部１９は、予約情報記憶部１１によって記憶された予約された設備の「設備名」、「開始時刻」、「終了時刻」等を取得する。そして、設備電源制御部１９は、予約設備の設備情報を設備情報記憶部１３から取得する（ステップＳ３０２）。具体的には、設備電源制御部１９は、Ｓ３０１において取得した「設備名」に対応する設備情報（図８の設備関連データおよび図１０の設備電力供給制御定義データ）を設備情報記憶部１３から取得する。そして、設備電源制御部１９は、関連設定に応じて関連設備へ電力を供給又は遮断するように制御する（ステップＳ３０３）。例えば、図８の例を用いて説明すると、設備電源制御部１９は、会議室Ａのプロジェクタが予約され、現在利用されている場合には、設備関連データを参照し、会議室Ａのプロジェクタの関連設備である「会議室Ａの照明１」の関連設定を取得する。ここで、図８の例では、「会議室Ａの照明１」の関連設定が「同時に使用されない」であるため、図９に例示する判定表を参照して、会議室Ａの照明１に電力が供給されている場合には、会議室Ａの照明１に対する電力の供給を遮断する。
【００４９】
また、設備電源制御部１９は、会議室ＡのＰＣコンセントが予約され、現在利用されている場合には、設備関連データを参照し、会議室ＡのＰＣコンセントの関連設備である「会議室Ａのネットワークルータ」の関連設定を取得する。ここで、図８の例では、「会議室Ａのネットワークルータ」の関連設定が「同時に使用する」であるため、図９に例示する判定表を参照して、会議室Ａのネットワークルータに電力が供給されていない場合には、会議室Ａのネットワークルータに対する電力の供給を開始する。
【００５０】
そして、会議室利用時間判定部１８は、予約時間を超過して会議室が利用されているか否かを判定する（ステップＳ３０４）。具体的には、会議室利用時間判定部１８は、会議室利用状況算出部１７によって算出された会議室の利用状況と、予約情報記憶部１１によって記憶された会議室の予約に関する情報とを用いて、予約した時間を超過して会議室が利用されているか否かを判定する。
【００５１】
この結果、会議室利用時間判定部１８が予約時間を超過して会議室が利用されていると判定した場合には（ステップＳ３０４肯定）、設備電源制御部１９は、設備電力供給制御定義データに基づいて電力を制御し（ステップＳ３０５）、ステップＳ３０６に移行する。例えば、設備電源制御部１９は、会議室の予約終了時刻が「１２：００」であるにも関わらず、１２：００を過ぎた時点で会議室Ａの照明の使用電力が２０Ｗである場合には、設備電源制御部１９は、設備情報記憶部１３から設備電力供給制御定義データとして会議室Ａの照明の電力制御「１分毎に電力供給を瞬断する」を取得する。そして、設備電源制御部１９は、会議室Ａの照明を１分毎に電力供給を瞬断するように制御する。
【００５２】
また、会議室利用時間判定部１８が予約時間を超過して会議室が利用されていると判定した場合には（ステップＳ３０４否定）、そのままステップＳ３０６に移行する。ステップＳ３０６において、設備利用状況判定部１５は、全ての設備について予約時間を超過したかチェックして電力供給を制御する処理を行ったか判定する（ステップＳ３０６）。具体的には、設備利用状況判定部１５は、上記したステップＳ３０３〜３０５において、複数の会議室のうちの１つの会議室における各設備の関連設備の電力供給を制御し、予約時間を超過したかチェックする処理を繰り返し、１つの会議室における全ての設備についてチェックし終えた場合には、全ての設備について予約時間を超過したかチェックして電力供給を制御する処理を行ったと判定する。
【００５３】
この結果、設備利用状況判定部１５は、全ての設備について電力供給を制御する処理を行っていないと判定した場合には（ステップＳ３０６否定）、ステップＳ３０３に戻る。また、設備利用状況判定部１５は、全ての設備について予約時間を超過したかチェックして電力供給を制御する処理を行ったと判定した場合には（ステップＳ３０６肯定）、全ての予約時間を超過したかチェックして電力供給を制御する処理を行ったか判定する（ステップＳ３０７）。この結果、全ての会議室について予約時間を超過したかチェックして電力供給を制御する処理を行っていないと判定した場合には（ステップＳ３０７否定）、ステップＳ３０１に戻り、チェックしていない会議室が無くなるまで、ステップＳ３０１〜３０７の処理を繰り返す。また、全ての会議室について電力供給を制御する処理を行ったと判定した場合には（ステップＳ３０７肯定）、処理を終了する。
【００５４】
[実施例１の効果]
上述してきたように、実施例１に係る会議設備電力制御装置１００は、会議室の予約に関する情報を記憶する予約情報記憶部１１を有する。会議設備電力制御装置１００は、会議室に設置された各設備の電力使用量を収集し、収集された各設備の電力使用量を用いて、各設備が稼働しているか否かを判別し、会議室の利用状況を算出する。そして、算出された会議室の利用状況と、予約情報記憶部１１によって記憶された会議室の予約に関する情報とを用いて、予約した時間を超過して会議室が利用されているか否かを判定する。そして、会議設備電力制御装置１００は、予約した時間を超過して会議室が利用されていると判定された場合には、各設備に対する電力供給を制御する。この結果、会議設備電力制御装置１００は、予約に関する情報と会議室の利用状況に応じて、会議室内の設備に対する電力供給を適切に制御することで、会議室や会議室内の設備の利用に伴う消費電力を削減し、会議室や会議室内の設備を効率的に利用することが可能である。
【００５５】
また、実施例１に係る会議設備電力制御装置１００は、機器に対する電力供給を要求された際に、該要求を行った者が会議室を予約した者であるか否かを認証する。そして、会議設備電力制御装置１００は、機器に対する電力供給の要求を行った者が会議室を予約した者であると認証された場合には、各機器に対する電力供給を制御する。このため、会議設備電力制御装置１００は、認証に成功した場合にのみ電力を供給することで、会議室や会議室内の設備の利用に伴う消費電力をより削減し、会議室や会議室内の設備を効率的に利用することが可能である。
【００５６】
また、実施例１に係る会議設備電力制御装置１００は、会議室に設置された各機器の電力制御に関する情報を記憶する設備情報記憶部１３をさらに有する。そして、会議設備電力制御装置１００は、予約した時間を超過して会議室が利用されていると判定された場合には、各機器の電力制御に関する情報を用いて、各機器に対する電力供給を制御する。このため、会議室内の機器の特性に応じて電力供給の制御を行うことで、会議室や会議室内の設備の利用に伴う消費電力を削減し、会議室や会議室内の設備を効率的に利用させることが可能である。
【００５７】
また、実施例１に係る会議設備電力制御装置１００は、設備情報記憶部１３に記憶された同時に使用する機器の種別の組み合わせの情報および同時に使用されない機器の種別の組み合わせの情報を用いて、機器に対する電力の供給を開始または機器に対する電力の供給を遮断するように制御する。このため、会議室内で使用される機器の組合せに応じて電力供給の制御を行うことで、会議室や会議室内の設備の利用に伴う消費電力を削減し、会議室や会議室内の設備を効率的に利用させることが可能である。
【実施例２】
【００５８】
さて、これまで本発明の実施例１について説明したが、上述した実施例１以外にも、種々の異なる形態にて実施されてよいものである。そこで、以下では実施例２として本実施例に含まれる他の実施例を説明する。
【００５９】
（１）利用者に関する属性情報
会議設備電力制御装置は、会議室を利用する利用者に関する属性情報を用いて、各設備に対する電力供給を制御するようにしてもよい。例えば、会議室を利用する利用者が、重役である場合には、予約した時間を超過して会議室が利用されている場合であっても、会議室内の設備の電力の供給を遮断しないようにしてもよい。
【００６０】
（２）会議の重要度
また、会議設備電力制御装置は、会議室を予約して行われる会議の重要度を設定させ、会議の重要度に応じて、各設備に対する電力供給を制御するようにしてもよい。例えば、会議の重要度が高い場合には、予約した時間を超過して会議室が利用されている場合であっても、会議室内の設備の電力の供給を遮断しないようにしてもよい。
【００６１】
なお、本実施例において説明した各処理のうち、自動的におこなわれるものとして説明した処理の全部または一部を手動的におこなうこともでき、あるいは、手動的に行われるものとして説明した処理の全部または一部を公知の方法で自動的に行うこともできる。この他、上記文書中や図面中で示した処理手順、制御手順、具体的名称、各種のデータやパラメータを含む情報については、特記する場合を除いて任意に変更することができる。
【００６２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６３】
例えば、上記実施例で説明した会議設備電力制御方法は、あらかじめ用意されたプログラムをコンピュータで実行することで実現することもできる。そこで、以下では、上記実施例で説明した会議設備電力制御方法を実現する会議設備電力制御プログラムを実行するコンピュータの一例を説明する。
【００６４】
図１４は、会議設備電力制御プログラムを実行するコンピュータを示す図である。図１４に示すように、コンピュータ３００は、例えば、メモリ３０１と、ＣＰＵ（Central  Processing  Unit）３０２と、ハードディスクドライブ３０３と、光ディスクドライブ３０４と、ネットワークインタフェース３０５と、マウス４００と、キーボード５００と、ディスプレイ６００とを有する。これらの各部は、バス３０８によって接続される。
【００６５】
メモリ３０１は、ＲＯＭ（Read  Only  Memory）およびＲＡＭ（Random  Access  Memory）を含む。ＲＯＭは、例えば、ＢＩＯＳ（Basic  Input  Output  System）等のブートプログラムを記憶する。
【００６６】
ここで、図１４に示すように、ハードディスクドライブ３０３は、例えば、会議設備電力制御プログラム３０３ａを記憶する。会議設備電力制御プログラム３０３ａは、例えば、コンピュータ３００によって実行される指令が記述されたプログラムモジュールとして、例えばハードディスクドライブ３０３に記録される。
【００６７】
また、上記実施例で説明した予約情報記憶部１１などに記憶されるデータのように、会議設備電力制御プログラム３０３ａによる情報処理に用いられるデータは、例えば、ハードディスクドライブ３０３に記憶される。そして、ＣＰＵ３０２が、ハードディスクドライブ３０３に記憶されたプログラムモジュールやプログラムデータを必要に応じてＲＡＭに読み出して、処理手順を実行する。
【００６８】
なお、会議設備電力制御プログラム３０３ａに係るプログラムモジュールやプログラムデータは、ハードディスクドライブ３０３に記憶される場合に限られず、例えば、着脱可能な記録媒体に記憶されて、光ディスクドライブ３０４等を介してＣＰＵ３０２によって読み出されてもよい。あるいは、会議設備電力制御プログラムに係るプログラムモジュールやプログラムデータは、ＬＡＮ（Local  Area  Network）やＷＡＮ（Wide  Area  Network）等のネットワークを介して接続された他のコンピュータに記憶され、ネットワークインタフェース３０５を介してＣＰＵ３０２によって読み出されてもよい。
【符号の説明】
【００６９】
１０  会議室適正利用システム
１１  予約情報記憶部
１２  利用実績記憶部
１３  設備情報記憶部
１４  設備使用電力収集部
１５  設備利用状況判定部
１６  設備認証部
１７  会議室利用状況算出部
１８  会議室利用時間判定部
１９  設備電源制御部
２１  電力供給部
２２  電力供給制御部
２３  消費電力計測部
２４  消費電力通知部
１００  会議設備電力制御装置
２００  電源供給監視装置
３００  各種電気機器
３１０  電灯
３２０  プロジェクタ
３３０  ＴＶ会議装置
３４０  ＰＣ
【図１】
2013182307.tif 000003
【図２】
2013182307.tif 000004
【図３】
2013182307.tif 000005
【図４】
2013182307.tif 000006
【図５】
2013182307.tif 000007
【図６】
2013182307.tif 000008
【図７】
2013182307.tif 000009
【図８】
2013182307.tif 000010
【図９】
2013182307.tif 000011
【図１０】
2013182307.tif 000012
【図１１】
2013182307.tif 000013
【図１２】
2013182307.tif 000014
【図１３】
2013182307.tif 000015
【図１４】
2013182307.tif 000016